(57)【要約】【課題】適切なタイミングで車室内への物や人の置き忘れを報知することができる車両用警報装置を提供する。【解決手段】乗員が車両に乗車する際のドアの開閉情報を取得し、且つ、車両の走行が終了して車両から降車する際のドアの開閉情報を取得し、更にこれらの差異を検出する。そして、乗車時に開閉されたドアについて、このドアが降車時に開閉されないという検出結果が得られた場合には、このドアから車室内に持ち込んだ物や乗車した幼児を置き忘れている可能性が高いものと判断して、警報器による報知を行う。従って、車室内に物や人を置き忘れるというトラブルの発生を回避することができる。【選択図】図１
2013129231.tif 000002
【特許請求の範囲】
【請求項１】
車両から乗員が降車する際に、該車両の車室内に物や人を置き忘れたことを乗員に知らせる車両用警報装置において、
乗員による車両乗降時の各種乗降操作を検出する乗降操作検出手段と、
乗員が車両に乗車する際の、前記乗降操作検出手段にて検出される少なくとも一つの操作情報、及び、乗員が車両から降車する際の、前記乗降操作検出手段にて検出される少なくとも一つの操作情報を用いて、前記置き忘れが発生しているか否かを判断するリマインド作動判断手段と、
前記リマインド作動判断手段にて置き忘れが発生していると判断された場合に、これを前記乗員に報知する報知手段と、
を備えたことを特徴とする車両用警報装置。
【請求項２】
乗員が車両に乗車する際の、前記乗降操作検出手段にて検出される操作情報と、乗員が車両から降車する際の、前記乗降操作検出手段にて検出される操作情報との差異を検出する乗降時操作差異検出手段を更に備え、
前記リマインド作動判断手段は、前記乗降時操作差異検出手段で検出された前記差異に基づいて、前記置き忘れが発生しているか否かを判断することを特徴とする請求項１に記載の車両用警報装置。
【請求項３】
前記乗降時操作差異検出手段は、乗員による乗車前のドアの開閉操作と、降車後のドアの開閉操作を比較し、これらの差異を検出することを特徴とする請求項２に記載の車両用警報装置。
【請求項４】
前記乗降時操作差異検出手段は、乗車時に任意のドアが開いてから閉じるまでの所要時間と、降車時に前記任意のドアが開いてから閉じるまでの所要時間の差異を検出することを特徴とする請求項２に記載の車両用警報装置。
【請求項５】
前記乗降時操作差異検出手段は、乗車時に一のドアが開いた後、他のドアが開くまでの所要時間と、降車時に前記一のドアが開いた後、前記他のドアが開くまでの所要時間の差異を検出することを特徴とする請求項２に記載の車両用警報装置。
【請求項６】
前記乗降時操作差異検出手段は、乗車時におけるシートベルトの装着情報と、降車時におけるシートベルトの装着情報に基づき、これらの差異を検出することを特徴とする請求項２に記載の車両用警報装置。
【請求項７】
予め乗員のマニュアル操作により入力される乗降操作情報を記憶し、
前記乗降時操作差異検出手段は、前記乗降操作情報についての、車両乗車時における操作状態と、車両降車時における操作状態との差異を検出することを特徴とする請求項２に記載の車両用警報装置。
【請求項８】
乗員が車両乗車前に車両のキーロックを解除してから、エンジンを始動して走行を開始するまでに行った操作を、乗員が乗車する際の操作情報とし、
車両が停止してからエンジンが停止し、キーロックをするまでに行った操作を、前記乗員が降車する際の操作情報とすることを特徴とする請求項１〜請求項７のいずれか１項に記載の車両用警報装置。
【請求項９】
前記報知手段は、前記リマインド作動判断手段にて置き忘れが発生していると判断された際に、降車時におけるキーロック操作を無効にすることを特徴とする請求項１〜請求項８のいずれか１項に記載の車両用警報装置。
【請求項１０】
前記報知手段は、前記リマインド作動判断手段にて置き忘れが発生していると判断された際に、降車後に室内灯を点灯させることを特徴とする請求項１〜請求項８のいずれか１項に記載の車両用警報装置。
【発明の詳細な説明】
【技術分野】
【０００１】
本発明は、車室内に物や人を置き忘れた場合に、これを運転者に報知する車両用警報装置に関する。
【背景技術】
【０００２】
従来における車両用警報装置として、例えば、特許文献１（特開２００６−１５９９３９号公報）に記載されたものが知られている。該特許文献１では、車室内に幼児を閉じ込めて置き去りにする等の問題を解決するために、車両のドアをロック操作する際に、車室内に人を閉じこめていることが検知された際に、閉じ込めが生じていることを報知したり、強制的にドアロックを禁止するようにする技術が開示されている。
【先行技術文献】
【特許文献】
【０００３】
【特許文献１】特開２００６−１５９９３９号公報
【発明の概要】
【発明が解決しようとする課題】
【０００４】
しかしながら、上述した特許文献１に開示された従来例では、乗員が車両から降車する際のドアロック操作タイミングで乗員の置き去りを判断して、その判断結果に基づいて報知していために、適切なタイミングで適切に報知できているとは言えなかった。
【０００５】
本発明は、このような従来の課題を解決するためになされたものであり、その目的とするところは、適切なタイミングで車室内への物や人の置き忘れを報知することができる車両用警報装置を提供することにある。
【課題を解決するための手段】
【０００６】
上記目的を達成するため、本発明は、乗員による車両乗降時の各種乗降操作を検出する乗降操作検出手段と、乗員が車両に乗車する際の操作情報、及び、乗員が車両から降車する際の操作情報を用いて、置き忘れが発生しているか否かを判断するリマインド作動判断手段を有する。そして、リマインド作動判断手段にて置き忘れが発生していると判断された場合に、これを乗員に報知する。
【発明の効果】
【０００７】
本発明に係る車両用警報装置は、車両から降車する準備を行う時点で、車室内に物や人の置き忘れが発生している可能性が高い場合に、報知を実施することが可能となり、置き忘れが発生していることを乗員に気づかせることができる。
【図面の簡単な説明】
【０００８】
【図１】本発明の実施形態に係る車両用警報装置、及びその周辺機器の構成を示すブロック図である。
【図２】本発明の第１〜第４実施形態に係る車両用警報装置の処理手順を示すフローチャートである。
【図３】本発明の第１実施形態に係る車両用警報装置の、乗降時操作差異判断処理の手順を示すフローチャートである。
【図４】本発明の第２実施形態に係る車両用警報装置の、乗降時操作差異判断処理の手順を示すフローチャートである。
【図５】本発明の第３実施形態に係る車両用警報装置の、乗降時操作差異判断処理の手順を示すフローチャートである。
【図６】本発明の第４実施形態に係る車両用警報装置の、乗降時操作差異判断処理の手順を示すフローチャートである。
【図７】本発明の第５実施形態に係る車両用警報装置の処理手順を示すフローチャートである。
【図８】本発明の第５実施形態に係る車両用警報装置の、乗降時操作差異判断処理の手順を示すフローチャートである。
【発明を実施するための形態】
【０００９】
以下、本発明の実施形態を図面に基づいて説明する。
【００１０】
［第１〜第６実施形態の構成説明］
図１は、本発明の第１〜第６実施形態に係る車両用警報装置、及びその周辺機器の構成を示すブロック図である。図１に示すように、車両用警報装置は、主たる制御を行うコントローラ７と、警報を発して車室内への物や人の置き忘れを報知する警報器（報知手段）８を備えている。
【００１１】
コントローラ７は、車両用のキー１、車両の各ドアに設けられたドアスイッチ２、エンジンＥＣＵ３、シフトレバー４、シートベルトセンサ５、及び車輪速センサ６と接続されている。
【００１２】
キー１は、キーロック、キーロック解除する操作を行うことができ、乗員（例えばドライバ）が車両のロック、ロック解除の操作を行ったときに、この操作についての検出信号をコントローラ７へ出力する。
【００１３】
ドアスイッチ２は、車両に搭載される各ドアの開閉状態を検出し、この検出信号をコントローラ７へ出力する。エンジンＥＣＵ３は、車両に搭載されるエンジンの始動状態を検出し、この検出信号をコントローラ７へ出力する。
【００１４】
シフトレバー４は、車両の現在のシフトレバーの状態を示す信号をコントローラ７へ出力する。シートベルトセンサ５は、シートベルトが閉められているか、或いはリリースされているかについての信号をコントローラ７へ出力する。車輪速センサ６は、車両の車輪速パルスを計測し、計測した車輪速パルスをコントローラ７へ出力する。
【００１５】
そして、コントローラ７は、上記の各入力信号に基づいて、乗員に対するリマインド作動判断を行い、リマインド（乗員への注意喚起）を作動させる必要があると判断した場合には、リマインド作動フラグを警報器８へ出力する。なお、コントローラ７は、例えば、中央演算ユニット（ＣＰＵ）や、ＲＡＭ、ＲＯＭ、ハードディスク等の記憶手段からなる一体型のコンピュータとして構成することができる。
【００１６】
警報器８は、各種の制御機器を使用して乗員に対してリマインド機能を作動させる。ここで、制御機器として、音声メッセージ装置、ブザー装置、キーロックＥＣＵ、室内灯装置等を挙げることができる。
【００１７】
また、コントローラ７は、車両用のキー１によるキー操作信号を検出するキー操作検出部７-1と、車両の各ドアに設けられるドアスイッチ信号を検出するドア開閉操作検出部７-2と、エンジンＥＣＵ３より出力されるエンジンの作動状態に関する信号を検出するエンジン作動状態検出部７-4と、シフトレバーの状態を示す信号から該シフトレバーのシフト位置を検出するシフト位置検出部７-5と、シートベルトセンサ５の状態を検出するシートベルト状態検出部７-6と、車輪速センサ６より出力される車速データに基づいて車両の走行状態を判断する走行状態判断部７-7と、を備えている。更に、コントローラ７は、ドライバ乗車判断部７-3と、走行開始終了判断部７-8と、ドライバ降車準備判断部７-9と、降車完了判断部７-10と、乗降時操作差異検出部７-11と、リマインド作動判断部７-12と、を備えている。
【００１８】
キー操作検出部７-1は、キー１からの入力に基づいてドアロック、ドアロック解除信号を検出し、この検出結果をドア開閉操作検出部７-2、及びリマインド作動判断部７-12へ出力する。
【００１９】
ドア開閉操作検出部７-2は、キー操作検出部７-1より出力される乗員のキー操作信号の検出後、ドアスイッチ２より得られる各ドアの開閉信号に基づいて、各ドアが開閉されたか否かを判断し、この判断結果をドライバ乗車判断部７-3、ドライバ降車準備判断部７-9、降車完了判断部７-10、及び乗降時操作差異検出部７-11へ出力する。
【００２０】
ドライバ乗車判断部７-3は、ドア開閉操作検出部７-2より出力される各ドアの開閉フラグに基づいて、ドライバが乗車したか否かを判断し、この判断結果を走行開始終了判断部７-8へ出力する。
【００２１】
エンジン作動状態検出部７-4は、エンジンＥＣＵ３より得られる信号に基づいて、エンジンが作動中であるか否かを判断し、この判断結果を走行開始終了判断部７-8に出力する。
【００２２】
シフト位置検出部７-5は、シフトレバー４より得られるシフト位置に関する信号に基づいて、現在のシフト位置を検出し、この検出結果を走行開始終了判断部７-8へ出力する。
【００２３】
シートベルト状態検出部７-6は、シートベルトセンサ５より得られるシートベルトのオン、オフ状態を判断し、この判断結果を走行開始終了判断部７-8へ出力する。
【００２４】
走行状態判断部７-7は、車輪速センサ６より得られる車速データに基づいて、車両が走行中であるか否かを判断し、この判断結果を走行開始終了判断部７-8へ出力する。
【００２５】
走行開始終了判断部７-8は、ドライバ乗車判断部７-3、エンジン作動状態検出部７-4、シフト位置検出部７-5、シートベルト状態検出部７-6、及び走行状態判断部７-7より得られる各判断結果に基づいて、車両に乗員が乗り込んで走行を開始したか、或いは、走行を終了したかを判断し、この判断結果をドライバ降車準備判断部７-9へ出力する。
【００２６】
ドライバ降車準備判断部７-9は、ドア開閉操作検出部７-2、及び走行開始終了判断部７-8より得られる判断結果に基づいて、ドライバが降車準備を完了したか否かを判断し、この判断結果を降車完了判断部７-10へ出力する。
【００２７】
降車完了判断部７-10は、ドライバ降車準備判断部７-9より得られる判断結果と、ドア開閉操作検出部７-2より得られる検出結果に基づき、乗員の降車が完了したか否かを判断し、この判断結果を乗降時操作差異検出部７-11へ出力する。
【００２８】
乗降時操作差異検出部７-11は、降車完了判断部７-10より得られる判断結果と、ドア開閉操作検出部７-2より得られる検出結果に基づき、乗降時の乗員の操作に差異が生じたか否かを判断し、この判断結果をリマインド作動判断部７-12へ出力する。
【００２９】
リマインド作動判断部７-12は、降車完了判断部７-10より得られる判断結果と、乗降時操作差異検出部７-11より得られる検出結果と、キー操作検出部７-1より得られる検出結果に基づき、リマインド作動判断を行い、リマインド操作が必要であると判断した場合には、リマインド作動フラグを警報器８へ出力する。
【００３０】
［第１〜第４実施形態の動作説明］
次に、本発明に係る第１〜第４実施形態に係る車両用警報装置の処理動作を図２に示すフローチャートを参照して説明する。なお、図２に示す処理は、一定間隔毎に連続的に行われる。
【００３１】
初めに、ステップＳ１１において、コントローラ７は、車両に搭載される各種センサ、各種の制御器より出力されるデータを読み込む。具体的には、キー１より取得されるキー操作フラグfKEY_jdg、ドアスイッチ２より出力されるドアスイッチフラグfDOOR_jdg_i（ｉ＝１〜４）、エンジンＥＣＵ３より出力されるエンジン作動フラグfECM_STUTAS、シフトレバー４より取得されるシフト位置信号fAT_SHIFT、シートベルトセンサ５より取得されるシートベルトＯＮ、ＯＦＦフラグfSEATBELT、車輪速センサ６より取得される各輪の車輪速Ｖｗｉ（ｉ＝１〜４）を読み込む。
【００３２】
ここで、エンジンＥＣＵ３からのエンジン作動フラグfECM_STUTASは、エンジン作動時はfECM_STUTAS＝１で、エンジン停止時はfECM_STUTAS＝０とする。
【００３３】
また、シートベルトＯＮ、ＯＦＦフラグfSEATBELTは、シートベルトＯＮの時はfSEATBELT＝１で、シートベルトＯＦＦの時は、fSEATBELT＝０とする。
【００３４】
ステップＳ１３において、コントローラ７は、乗員によるキーロック解除操作を検出する。例えば、リモコンのキー１を利用して乗員がキーロックを解除した場合は、キー操作フラグfKEY_jdgをfKEY_jdg ＝１とし、キーロックを行った場合は、キー操作フラグfKEY_jdgをfKEY_jdg＝２とする。なお、ここではリモコンキーの操作を利用してキーロック動作を判断したが、キーシリンダで直接キーロック、キーロック解除した場合や、その他キーロック解除に関わる操作を行った場合は、それぞれのフラグを同様にセットする。
【００３５】
ここで、車両への操作が所定時間検出されない状態で、キーロックを解除した場合にリマインド対象検出開始フラグfdetect_startを、fdetect_start＝１とする。
【００３６】
ステップＳ１４において、コントローラ７は、乗車時のドア開閉信号を検出する。例えば、フロント右ドアを開けた場合は、fDOOR_jdg_1＝１をセットし、閉じた場合は、fDOOR_jdg_1＝０をセットする。同様に、各ドアについて、以下のように各フラグをセットする。
【００３７】
フロント左ドアを開けた場合は、fDOOR_jdg_2＝１をセットし、閉じた場合は、fDOOR_jdg_2＝０をセットする。リア右ドアを開けた場合は、fDOOR_jdg_3＝１をセットし、閉じた場合は、fDOOR_jdg_3＝０をセットする。リア左ドアを開けた場合は、fDOOR_jdg_4＝１をセットし、閉じた場合は、fDOOR_jdg_4＝０をセットする。
【００３８】
ステップＳ１６において、コントローラ７は、乗員が乗車を完了したか否かを判断する。例えば、上述したステップＳ１４の処理にて取得されるドア開閉フラグに基づき、フロント右ドアfDOOR_jdg_1＝１がセットされ、その後フロント右ドアfDOOR_jdg_1＝０が検出された場合には、乗員の乗車が完了したと判断し、乗車完了フラグfRIDE_ONをfRIDE_ON＝１とする。ここでは、右ハンドル車を想定し、フロント右ドア開閉フラグに注目したが、左ハンドル車の場合は、フロント左ドア開閉フラグに応じて、乗車完了フラグをセットする。
【００３９】
ステップＳ１７において、コントローラ７は、走行開始判断を行う。上述したステップＳ１３の処理において、fdetect_startがセットされている場合に、例えば、ステップＳ１１で検出された、エンジンＥＣＵ３より取得されるエンジン作動フラグfECM_STUTAS、シフトレバー４より取得されるシフト位置信号fAT_SHIFT、シートベルトセンサ５より取得されるシートベルトＯＮ、ＯＦＦフラグfSEATBELT、車輪速センサ６より取得される各輪の車輪速Ｖｗｉ（ｉ＝１〜４）に基づいて、以下のように判断する。
【００４０】
即ち、ステップＳ１６でセットされた乗車完了フラグfRIDE_ONがfRIDE_ON =1の時に、エンジンが作動していることを示すエンジン作動フラグfECM_STUTASがfECM_STUTAS＝１、シフト位置信号fAT_SHIFTがＤレンジ、シートベルトＯＮ、ＯＦＦフラグfSEATBELT＝１の時に、車輪速センサ６より取得される自車速Ｖが所定値以上となる時間が、所定時間継続した場合に、走行開始フラグfDRIVE_START をfDRIVE_START＝１とする。
【００４１】
ここで、上記の所定値は、一例として１０Ｋｍ／ｈとし、所定時間とは、一例として５分とすることができる。
【００４２】
ここで、自車速Ｖの算出は、例えば後輪駆動の車両の場合は、下記（１）式により前輪の車輪速Ｖｗ１，Ｖｗ２の平均値として自車速Ｖを算出することができる。
【００４３】
Ｖ＝（Ｖｗ１＋Ｖｗ２）／２  ・・・（１）
なお、ＡＢＳ制御などの車速を用いたシステムが作動している場合には、そのようなシステムで使用している自車速（推定車速）を用いることも可能である。
【００４４】
ステップＳ１８において、コントローラ７は、走行終了判断を行う。この処理では、上述したステップＳ１３の処理にて、fdetect_startがセットされており、更に、ステップＳ１７で検出された、走行開始フラグfDRIVE_START がfDRIVE_START＝１の時に、ステップＳ１１で検出された、エンジンＥＣＵ３より取得されるエンジン作動フラグfECM_STUTAS、シフトレバー４より取得されるシフト位置信号fAT_SHIFT、シートベルトセンサ５より取得されるシートベルトＯＮ、ＯＦＦフラグfSEATBELT、車輪速センサ６より取得される各輪の車輪速Ｖｗｉ（ｉ＝１〜４）に基づいて、以下のように判断する。
【００４５】
即ち、エンジン作動フラグfECM_STUTASがfECM_STUTAS＝０、シフト位置信号fAT_SHIFTがＰレンジ、シートベルトＯＮ、ＯＦＦフラグfSEATBELTがfSEATBELT＝０、自車速Ｖが０となった場合に、走行を終了したと判断し、走行終了判断フラグfDRIVE_END をfDRIVE_END＝１とする。
【００４６】
ここで、全ての条件が成立した場合に走行終了判断フラグをセットしたが、ドライバによって操作が異なることが想定される。具体的には、エンジンは降車完了後最後にＯＦＦする場合が想定されるため、自車速Ｖが０、シフト位置信号fAT_SHIFTがＰレンジ、シートベルトＯＮ、ＯＦＦフラグfSEATBELTがfSEATBELT＝０となった場合に、走行を終了したと判断しても良い。
【００４７】
ステップＳ１９において、コントローラ７は、降車時ドア開閉判断を行う。例えば、走行終了判断フラグfDRIVE_END がfDRIVE_END＝１の場合に、ステップＳ１４の処理で検出された、各ドアの開閉フラグに基づいて、降車時ドア開閉判断を行う。具体的には、降車時にどのドアが開閉されたかを検出する。
【００４８】
ステップＳ２０において、コントローラ７は、乗員の降車完了判断を行う。例えば、ステップＳ１９の処理で検出された、各ドアの開閉フラグが全て０、つまり、全てのドアが閉じられたと判断した場合に、降車完了判断フラグfRIDE_OUTをfRIDE_OUT＝１とする。
【００４９】
ステップＳ２１において、コントローラ７は、車両に乗車する際、及び車両から降車する際の、乗員による操作の差異を検出する。具体的には、後述するように、第１〜第４実施形態による各処理を実施する。
【００５０】
ステップＳ２２において、コントローラ７は、リマインド作動判断を行う。この処理では、乗降時操作差異判断処理で乗車時と降車時での車両の操作情報に差異が発生していると判断された場合に、車室内に物や人を置き忘れている可能性が有るものと判断して、リマインド作動フラグを設定する。
【００５１】
ステップＳ２３において、コントローラ７は、乗員によるキーロック判断を行う。例えば、走行終了判断フラグfDRIVE_END がfDRIVE_END＝１で、ステップＳ２０の処理で検出された、降車完了判断フラグfRIDE_OUTがfRIDE_OUT＝１の場合に、ステップＳ１３の処理でキー操作フラグfKEY_jdgを検出し、キー操作フラグfKEY_jdgがfKEY_jdg＝２であると判断したときに、キーロックされたと判断する。キーロック後、所定時間経過後に、全てのフラグをクリアする。ここで、キーロック操作は、ドライバに限らず、ロック操作が行われたか否かのみを検出する。
【００５２】
ステップＳ２４において、コントローラ７は、リマインド作動判断部７-12により、車室内に物や人を置き忘れていると判断された際に、これを乗員に報知するための出力処理を行う。
【００５３】
［第１実施形態の動作説明］
次に、図３に示すフローチャートを参照して、第１実施形態に係る車両用警報装置の、乗降時操作差異判断処理の詳細について説明する。初めに、ステップＳ３１において、乗降時操作差異検出部７-11は、図２のステップＳ１４の処理にて、車両に乗員が乗る際に、リヤ右ドアが開閉されたか否かを判断した結果のデータ（乗員が乗車する際の操作情報）を取得する。なお、このときはリマインド対象検出開始フラグがfdetect_start＝１とされている。そして、リヤ右ドアが開閉されていない場合には（ステップＳ３１でＮＯ）、本処理を終了する。
【００５４】
一方、リヤ右ドアが開閉された場合には（ステップＳ３１でＹＥＳ）、ステップＳ３２において、乗降時操作差異検出部７-11は、図２のステップＳ１９の処理にて、車両から乗員が降りる際に、リヤ右ドアが開閉されたか否かを判断したデータ（乗員が降車する際の操作情報）を取得する。そして、開閉された場合には（ステップＳ３２でＹＥＳ）、本処理を終了する。また、開閉されていない場合には（ステップＳ３２でＮＯ）、ステップＳ３３において、リマインド作動判断部７-12は、リマインド作動フラグをセットする。
【００５５】
即ち、車両に乗員が乗るときにリヤ右ドアを開閉したということは、このドアから物や人（例えば、幼児）を乗せた可能性が高いので、車両から乗員が降りる際においても、このドアを開閉して物や人を降ろす必要があるものと考えられる。そこで、本実施形態では、車両乗車時におけるドアの開閉動作と車両降車時におけるドアの開閉動作を対比し、これらに差異が生じている場合には、車室内に物や人を置き忘れている可能性が高いものと判断し、リマインド作動フラグをセットする。
【００５６】
そして、リマインド作動フラグがセットされた場合には、図２のステップＳ２４に示した車両出力処理により、警報器８にリマインド作動信号が出力されて、音声出力や室内灯の点灯等により、車室内に物や人を置き忘れている可能性が高いことを乗員に報知することができる。なお、図３では、簡単のため、リヤ右ドアを例に挙げて説明したが、同様の処理を、フロント右ドア、及びリヤ左ドアについても実行することにより、ドライバ以外の全てのドアについて、リマインド機能を作動させることができる。
【００５７】
次に、図２に示したステップＳ２４に示した車両出力処理の詳細について説明する。リマインド作動フラグがセットされた場合には、例えば、下記（１）、（２）に示す処理により、車両の乗員に警報を発する。
【００５８】
（１）キーロックの無効化
リマインド作動フラグがセットされた場合に、乗員のキーロック操作を一度だけ無効にする。その後、再度乗員がキーロック操作を行った場合には、通常のロック機能を作動させる。
【００５９】
（２）室内灯の点灯
リマインド作動フラグがセットされた場合で、且つ、シートの判定結果がある所定値以上の場合には、該当シート上の室内灯を点灯させる。そして、所定時間経過後に、室内灯を消灯させる。
【００６０】
こうして、車室内に物や人を置き忘れている可能性があることを乗員に気づかせることができるのである。
【００６１】
このようにして、本発明の第１実施形態に係る車両用警報装置では、乗員が乗車する際の操作情報、及び乗員が降車する際の操作情報に基づいて、車室内に物や人を置き忘れているか否かを判断するので、置き忘れを防止することができる。特に、乗車時の操作情報と降車時の操作情報との差異を検出して、置き忘れを判断するので、乗車時の操作と降車時の操作が相違する場合に置き忘れが発生している可能性が高いものと判断して、報知を行うことができる。
【００６２】
更に、第１実施形態に係る車両用警報装置では、乗員が車両に乗る際の各ドアの開閉操作と、乗員が車両から降りる際の各ドアの開閉操作の一致或いは不一致を確認し、不一致である場合には車室内に物や人を置き忘れている可能性が高いものと判断して、警報器８による報知が行われる。従って、乗員が車室内に物や人（例えば幼児）を置き忘れていることに気づかない場合であっても、確実にこれを報知して乗員に気づかせることが可能となる。
【００６３】
また、リマインド作動フラグがセットされた場合には、乗員によるキーロック操作を無効にすることや、置き忘れが生じている座席の室内灯を点灯させるので、置き忘れが発生していることを、確実に乗員に認識させることができる。
【００６４】
更に、乗員が車両乗車前に車両のキーロックを解除してから、エンジンを始動して走行を開始するまでに行う操作であるドアの開閉情報（乗車時の操作情報）と、車両が停止してからエンジンが停止し、キーロックをするまでに行う操作であるドアの開閉情報（降車時の操作情報）に基づいて、物や人の置き忘れが発生しているか否かを判断するので、乗員が乗車時に行う操作と降車時に行う操作とを対比することができ、置き忘れの報知を高精度に行うことが可能となる。
【００６５】
［第２実施形態の動作説明］
次に、本発明の第２実施形態に係る車両用警報装置の動作について説明する。上述した第１実施形態では、車両への乗降時における各ドアの開閉の一致、或いは不一致を確認することにより、物や人の置き忘れが発生しているか否かを判断する例について説明したが、第２実施形態では、各ドアの開閉時間の差異に基づいて、車室内への物や人の置き忘れが発生しているか否かを判断する点で相違する。即ち、図２のステップＳ２１に示した乗降時操作差異判断処理が相違する。
【００６６】
以下、第２実施形態に係る乗降時操作差異判断処理の詳細について、図４に示すフローチャートを参照して説明する。初めに、ステップＳ４１において、乗降時操作差異検出部７-11は、図２のステップＳ１４の処理にて、車両に乗員が乗る際に、リヤ右ドアが開閉されたか否かを判断した結果のデータを取得する。なお、このときはリマインド対象検出開始フラグがfdetect_start＝１とされている。そして、リヤ右ドアが開閉されていない場合には（ステップＳ４１でＮＯ）、本処理を終了する。
【００６７】
一方、リヤ右ドアが開閉された場合には（ステップＳ４１でＹＥＳ）、ステップＳ４２において、乗降時操作差異検出部７-11は、乗車時にリヤ右ドアが開いてから閉まるまでの所要時間を計測する。
【００６８】
ステップＳ４３において、乗降時操作差異検出部７-11は、ステップＳ４２の処理で計測した時間が予め設定した所定時間（例えば、３０秒）以上であるか否かを判断する。そして、所定時間未満の場合には（ステップＳ４３でＮＯ）、本処理を終了する。また、所定時間以上である場合には（ステップＳ４３でＹＥＳ）、ステップＳ４４において、乗降時操作差異検出部７-11は、図２のステップＳ１９の処理にて、車両から乗員が降りる際に、リヤ右ドアが開閉されたか否かを判断したデータを取得する。そして、開閉された場合には（ステップＳ４４でＹＥＳ）、本処理を終了する。
【００６９】
また、開閉されていない場合には（ステップＳ４４でＮＯ）、ステップＳ４５において、乗降時操作差異検出部７-11は、リヤ左ドアが開閉されたか否かを判断したデータを取得する。そして、リヤ左ドアが開閉されていない場合には（ステップＳ４５でＮＯ）、リマインド作動判断部７-12は、リマインド作動フラグをセットする。つまり、乗車時にリヤ右ドアが所定時間以上開けられ、乗車時にリヤ右ドア、及びリヤ左ドアが共に開けられない場合には、物や人の置き忘れが発生している可能性が高いものと判断して、リマインド作動判断部７-12は、リマインド作動フラグをセットする。
【００７０】
また、リヤ左ドアが開閉されたと判断された場合には（ステップＳ４５でＹＥＳ）、ステップＳ４６において、乗降時操作差異検出部７-11は、降車時においてリヤ左ドアが開いてから閉まるまでの所要時間を計測する。
【００７１】
ステップＳ４７において、乗降時操作差異検出部７-11は、ステップＳ４６の処理で計測した時間が所定時間（ステップＳ４３の処理で用いた所定時間と同一であっても、同一で無くても良い）以上であるか否かを判断する。そして、所定時間未満の場合には（ステップＳ４７でＮＯ）、ステップＳ４８において、リマインド作動判断部７-12は、リマインド作動フラグをセットする。一方、所定時間以上である場合には（ステップＳ４７でＹＥＳ）、本処理を終了する。
【００７２】
つまり、乗車時にリヤ右ドアが所定時間以上開けられ、降車時に、リヤ右ドアが開けられた場合、或いはリヤ左ドアが所定時間以上開けられた場合には、車室内への物や人の置き忘れは発生していないものと判断する。また、それ以外の場合、即ち、乗車時にリヤ右ドアが所定時間以上開けられ、降車時に、リヤ右ドアが開けられない場合、或いはリヤ左ドアが所定時間以上開けられない場合には、置き忘れが発生している可能性が高いものと判断して、リマインド作動判断部７-12は、リマインド作動フラグをセットする。
【００７３】
そして、リマインド作動フラグがセットされた場合には、図２のステップＳ２４に示した車両出力処理により、警報器８にリマインド作動信号が出力されて、音声出力や室内灯の転倒などにより、車室内に物や人を置き忘れている可能性が高いことを乗員に報知する。
【００７４】
このようにして、本発明の第２実施形態に係る車両用警報装置では、乗員が車両に乗る際の各ドアの開閉操作及び開いている時間と、乗員が車両から降りる際の各ドアの開閉操作及び開いている時間を確認し、乗車時に所定時間以上ドアが開いたにも関わらず、降車時にドアが開けられていない場合、或いは開けられても開いている時間が短い場合には、車室内に物や人を置き忘れている可能性が高いものと判断して、警報器８による報知が行われる。従って、乗員が車室内に物や人（例えば幼児）を置き忘れていることに気づかない場合であっても、警報器８による報知により確実に乗員に気づかせることができる。［第３実施形態の動作説明］
次に、本発明の第３実施形態に係る車両用警報装置の動作について説明する。上述した第１，第２実施形態では、車両への乗降時における各ドアの開閉時間の一致、或いは不一致を確認することにより、置き忘れ発生しているか否かを判断する例について説明したが、第３実施形態では、乗車時に２つのドアが開閉された際に、一つ目のドアが開けられてから二つ目のドアが開けられるまでの所要時間（時間差）を計測し、この計測結果に基づいて、車室内への物や人の置き忘れが発生しているか否かを判断する点で相違する。即ち、図２のステップＳ２１に示す乗降時操作差異判断処理が相違する。
【００７５】
以下、第３実施形態に係る乗降時操作差異判断処理の詳細について、図５に示すフローチャートを参照して説明する。初めに、ステップＳ５１において、乗降時操作差異検出部７-11は、図２のステップＳ１４の処理にて、車両に乗員が乗る際に、ドアの開閉順序を検出した結果のデータを取得する。なお、このときはリマインド対象検出開始フラグがfdetect_start＝１とされている。次いで、ステップＳ５２において、乗降時操作差異検出部７-11は、一つ目のドアが開けられてから、二つ目のドアが開けられるまでの所要時間を計測し、これをドア開時の時間差とする。
【００７６】
ステップＳ５３において、乗降時操作差異検出部７-11は、上記の時間差が予め設定した所定時間（例えば、１分）以上であるか否かを判断する。そして、所定時間未満である場合には（ステップＳ５３でＮＯ）、本処理を終了する。一方、所定時間以上である場合には（ステップＳ５３でＹＥＳ）、ステップＳ５４において、乗降時操作差異検出部７-11は、図２のステップＳ１９の処理にて、車両から乗員が降りる際に、ドアの開閉順序を検出した結果のデータを取得する。
【００７７】
ステップＳ５５において、乗降時操作差異検出部７-11は、降車時に一つ目のドアが開けられてから、二つ目のドアが開けられるまでの時間差を求める。次いで、ステップＳ５６において、乗降時操作差異検出部７-11は、ステップＳ５５の処理で求めた時間差が、所定時間以上であるか否かを判断する。そして、所定時間未満である場合には（ステップＳ５６でＮＯ）、ステップＳ５７において、リマインド作動判断部７-12は、リマインド作動フラグをセットする。一方、所定時間以上である場合には（ステップＳ５６でＹＥＳ）、本処理を終了する。
【００７８】
そして、リマインド作動フラグがセットされた場合には、図２のステップＳ２４に示した車両出力処理により、警報器８にリマインド作動信号が出力されて、音声出力や室内灯の転倒などにより、車室内に物や人を置き忘れている可能性が高いことを乗員に報知する。
【００７９】
このようにして、第３実施形態に係る車両用警報装置では、車両の乗車時において、２つのドアが所定時間の時間差をもって開けられた際には、降車時において、２つのドアが開けられる際の時間差が所定時間よりも短い場合には、車室内に物や人の置き忘れが発生している可能性が高いものと判断して、警報器８による報知が行われる。従って、乗員が車室内に物や人（例えば幼児）を置き忘れていることに気づかない場合であっても、確実にこれを報知して乗員に気づかせることが可能となる。
【００８０】
［第４実施形態の動作説明］
次に、本発明の第４実施形態について説明する。第４実施形態では、車両への乗車時と車両からの後車時におけるシートベルトの着脱操作に基づいて、車室内への物の置き忘れや人の置き忘れが発生しているか否かを判断する点で、前述した第１，第２実施形態と相違する。即ち、図２のステップＳ２１に示す乗降時操作差異判断処理が、後席シートベルト装着の差異を判断する処理である点で相違する。
【００８１】
以下、第４実施形態に係る乗降時操作差異判断処理（後席シートベルト装着差異判断処理）の詳細について、図６に示すフローチャートを参照して説明する。初めに、ステップＳ６１において、乗降時操作差異検出部７-11は、シートベルト状態検出部７-6の検出結果に基づき、乗車が完了した際に、後席のシートベルトが装着されているか否かを判断する。そして、装着されている場合には（ステップＳ６１でＹＥＳ）、ステップＳ６２において、乗降時操作差異検出部７-11は、降車が完了した際に、後席のシートベルトが装着されているか否かを判断する。
【００８２】
そして、後席のシートベルトが装着されていないと判断された場合には（ステップＳ６２でＮＯ）、本処理を終了し、装着されていると判断された場合には（ステップＳ６２でＹＥＳ）、ステップＳ６３において、リマインド作動判断部７-12は、リマインド作動フラグを「１」にセットする。
【００８３】
一方、乗車完了時に後席のシートベルトが装着されていないと判断された場合には（ステップＳ６１でＮＯ）、ステップＳ６４において、乗降時操作差異検出部７-11は、降車が完了した際に、後席のシートベルトが装着されているか否かを判断する。
【００８４】
そして、後席のシートベルトが装着されていないと判断された場合には（ステップＳ６４でＮＯ）、本処理を終了し、装着されていると判断された場合には（ステップＳ６４でＹＥＳ）、ステップＳ６５において、リマインド作動判断部７-12は、リマインド作動フラグを「２」にセットする。ここで、リマインド作動フラグは、警報レベルを示す数値であり、「２」の方が「１」よりも警報レベルが高く設定されている。
【００８５】
そして、図２のステップＳ２４の処理おいて、リマインド作動フラグに応じた警報信号を警報器８に出力する。例えば、リマインド作動フラグが「１」の場合には、ブザー音による警報を出力し、リマインド作動フラグが「２」の場合には、より高い音量でブザー音による警報を出力することにより、それぞれの警報レベルに応じた報知を行うことが可能となる。
【００８６】
こうして、降車が完了した後においても後席のシートベルトが装着されている場合には、後席に物や人を置き忘れている可能性があるので、リマインド作動フラグを設定することにより、これを車両の乗員に報知し、置き忘れが発生していることに気づかせることができるのである。
【００８７】
このようにして、第４実施形態に係る車両用警報装置では、降車が完了した後に、後席のシートベルトが装着されている場合にはリマインド機能を作動させて、ドライバに警報を発するので、後席に物や人を（例えば、幼児）を置き忘れている可能性があることを報知することができ、車室内への置き忘れを防止することができる。
【００８８】
また、乗車完了時において後席シートベルトを装着している場合には、リマインド作動フラグを「１」にセットし、乗車完了時において後席シートベルトを装着していない場合（例えば、降車が完了した後に後席のシートベルトが装着された場合等）には、リマインド作動フラグを「２」にセットするので、乗車時、及び降車時におけるシートベルトの装着状態に応じた警報レベルでの報知が可能となる。
【００８９】
［第５実施形態の動作説明］
次に、本発明の第５実施形態について説明する。図７は、第５実施形態に係る車両用警報装置の処理動作を示すフローチャートであり、前述した図２に示したフローチャートと対比して、ステップＳ１２のドライバマニュアル設定処理、ステップＳ１５のシートベルト内蔵センサ検出処理を追加した点で相違する。
【００９０】
以下、図２との相違点について説明する。ステップＳ１２のドライバマニュアル設定処理では、例えば、車室内の座席にチャイルドシートを装着した場合には、該チャイルドシートの装着位置を読み込む。即ち、乗員がマニュアル操作によりチャイルドシートの装着位置を入力すると、この装着位置のデータは、図１に示す乗降時操作差異検出部７-11にて読み取られる。このマニュアル設定は、チャイルドシートを搭載する一番最初に設定するか、或いは、走行毎にドライバによる設定を受け付けても良い。
【００９１】
ステップＳ１５のシートベルト内蔵センサ検出処理では、シートベルトに内蔵されているシートベルトＯＮ、ＯＦＦ信号を検出する。具体的には、装着したチャイルドシートに内蔵されているシートベルトセンサ情報を検出するか、或いは、後席のシートベルトに内蔵された、シートベルトＯＮ、ＯＦＦ信号を検出する処理を行う。
【００９２】
以下、図７のステップＳ２１に示す乗降時操作差異判断処理の詳細な手順について、図８に示すフローチャートを参照して説明する。初めに、ステップＳ７１において、乗降時操作差異検出部７-11は、チャイルドシートの搭載位置を読み込む。その結果、例えば、リヤ左席、リヤ右等の座席位置が取得される。
【００９３】
ステップＳ７２において、乗降時操作差異検出部７-11は、乗車時においてチャイルドシートが搭載された座席のドアが開閉されたか否かを判定する。そして、開閉されていない場合には（ステップＳ７２でＮＯ）、本処理を終了する。一方、開閉された場合には（ステップＳ７２でＹＥＳ）、ステップＳ７３において、乗降時操作差異検出部７-11は、降車時においてチャイルドシートが搭載された座席のドアが開閉されたか否かを判定する。そして、開閉された場合には（ステップＳ７３でＹＥＳ）、本処理を終了し、開閉されていない場合には、ステップＳ７４において、リマインド作動判断部７-12は、リマインド作動フラグをセットする。
【００９４】
その後、図７のステップＳ２４の処理において、リマインド作動フラグが警報器８に出力され、警報器８による報知が行われる。
【００９５】
即ち、第５実施形態に係る車両用警報装置では、チャイルドシートを装着する座席が特定されている場合には、この座席をマニュアル操作で入力し、この座席のドアについてのみドア開閉の差異を検出して、幼児（或いは乳児）の置き去りを検出する。例えば、リヤ右席にチャイルドシートが装着されている場合には、リヤ右ドアにのみ注目し、乗車時にリヤ右ドアが開閉された場合で、降車時にこのリヤ右ドアが開閉されない場合には、リマインド作動フラグをセットすることにより、乗員への報知が可能となる。
【００９６】
このようにして、第５実施形態に係る車両用警報装置では、チャイルドシートを装着した座席をマニュアル操作にて設定し、この座席のドアの開閉状態を乗車時、及び降車時に検出して操作の差異に基づいて、リマインド作動フラグをセットする。従って、車両乗車時にチャイルドシートに幼児を乗せ、その後、降車時に幼児を降ろすことを忘れた場合であっても警報器８による報知が行われるので、乗員に対して幼児を置き去りにしていることを気づかせることができる。
【００９７】
また、マニュアル設定した座席についての乗降時の操作の差異が検出され、その他の座席については差異の検出処理が行われないので、演算負荷を軽減することが可能となる。
【００９８】
以上、本発明の車両用警報装置を図示の実施形態に基づいて説明したが、本発明はこれに限定されるものではなく、各部の構成は、同様の機能を有する任意の構成のものに置き換えることができる。
【産業上の利用可能性】
【００９９】
本発明は、車室内に物や人を置き忘れた場合に、これを迅速に報知することに利用することができる。
【符号の説明】
【０１００】
１     キー
２     ドアスイッチ
３     エンジンＥＣＵ
４     シフトレバー
５     シートベルトセンサ
６     車輪速センサ
７     コントローラ
７-1   キー操作検出部
７-2   ドア開閉操作検出部（乗降操作検出手段）
７-3   ドライバ乗車判断部
７-4   エンジン作動状態検出部
７-5   シフト位置検出部
７-6   シートベルト状態検出部（乗降操作検出手段）
７-7   走行状態判断部
７-8   走行開始終了判断部
７-9   ドライバ降車準備判断部
７-10  降車完了判断部
７-11  乗降時操作差異検出部（乗降時操作差異検出手段）
７-12  リマインド作動判断部（リマインド作動判断手段）
８     警報器（報知手段）
【図１】
2013129231.tif 000003
【図２】
2013129231.tif 000004
【図３】
2013129231.tif 000005
【図４】
2013129231.tif 000006
【図５】
2013129231.tif 000007
【図６】
2013129231.tif 000008
【図７】
2013129231.tif 000009
【図８】
2013129231.tif 000010